(57)【要約】【課題】シャッタの風漏れを抑制する。【解決手段】電子装置１０のシャッタ４０は、筐体２０の収容部２２に対して回動可能に支持された第一扉４１と、第一扉４１の回動端部に回動可能に連結された第二扉４２とを有しており、収容部２２を開閉する。第一扉４１には、第一扉４１の回動軸よりも回動端部と反対側に突出する突出部４５が形成されている。収容部２２に挿入されるファンユニット３０には、第一押し部３２及び第二押し部３４が設けられている。第一押し部３２は、ファンユニット３０が収容部２２に挿入されていくと、突出部４５を押して第一扉４１をファンユニット３０の挿入方向と逆方向に回動させる。第二押し部３４は、ファンユニット３０が収容部２２にさらに挿入されていくと、第二扉４２を押して第二扉４２をファンユニット３０の挿入方向に回動させ、シャッタ４０を折り畳まれた状態に開かせる。【選択図】図４
2018148002.tif 000002
【特許請求の範囲】
【請求項１】
収容部を有する筐体と、
前記収容部に挿入され、前記収容部に対して抜去可能であるファンユニットと、
前記収容部に対して回動可能に支持された第一扉と、前記第一扉の回動端部に回動可能に連結された第二扉とを有するシャッタと、
前記第一扉に形成され、前記第一扉の前記収容部に対する回動軸よりも前記回動端部と反対側に突出する突出部と、
前記ファンユニットに設けられ、前記ファンユニットが前記収容部に挿入されていくと、前記突出部に当接する位置に配置された第一押し部と、
前記ファンユニットに設けられ、前記ファンユニットが前記収容部に挿入されていくと、前記第二扉に当接する位置に配置された第二押し部と、
を備える電子装置。
【請求項２】
前記筐体の内部には、前記シャッタが閉じた状態において前記ファンユニット側と反対側から前記シャッタに近接する基板が配置されている、
請求項１に記載の電子装置。
【請求項３】
前記ファンユニットは、前記ファンユニットの前側に延出する延出部を有し、
前記第一押し部は、前記延出部の先端部に形成されている、
請求項１又は請求項２に記載の電子装置。
【請求項４】
前記筐体は、前記ファンユニットの挿入方向に延びる壁部を有し、
前記第一扉の前記収容部に対する回動軸は、前記壁部に近接して配置され、
前記延出部は、前記壁部と前記第一扉の前記収容部に対する回動軸との間に挿入される、
請求項３に記載の電子装置。
【請求項５】
前記ファンユニットは、前記延出部と対向する対向部を有し、
前記シャッタは、前記延出部と前記対向部との間に折り畳まれた状態で収納される、
請求項３又は請求項４に記載の電子装置。
【請求項６】
前記第一扉及び前記第二扉は、前記筐体の高さ方向に並んでおり、
前記第一扉の上端部は、前記収容部に回動可能に固定され、
前記第二扉は、前記シャッタが折り畳まれた状態では、前記対向部の上に載置される、
請求項５に記載の電子装置。
【請求項７】
前記第二扉は、前記シャッタが折り畳まれた状態では、前記対向部と当接して前記第二扉を前記対向部に対して離間させるスペーサを有し、
前記第二扉と前記対向部との間には、前記ファンユニットの前部に設けられた吸気口と前記筐体の内部とを連通する連通路が形成される、
請求項５又は請求項６に記載の電子装置。
【請求項８】
前記第二扉における回動軸の中心から回動端部までの長さは、前記突出部の突端から前記第二扉の回動軸の中心までの長さ以下である、
請求項１〜請求項７のいずれか一項に記載の電子装置。
【請求項９】
前記シャッタが閉じた場合に、前記シャッタが閉位置を超える方向へ回動することを規制する規制部を備える、
請求項１〜請求項８のいずれか一項に記載の電子装置。
【請求項１０】
前記シャッタが閉じた場合に、前記第二扉が前記第一扉に対して前記ファンユニットの挿入方向と逆方向へ回動することを規制するストッパを備える、
請求項１〜請求項９のいずれか一項に記載の電子装置。
【発明の詳細な説明】
【技術分野】
【０００１】
本願の開示する技術は、電子装置に関する。
【背景技術】
【０００２】
筐体の内部温度の上昇を抑制するために、複数のファンユニットを備えた電子装置がある。一般に、このような電子装置において、各ファンユニットは、筐体に設けられた収容部に挿入されており、この収容部に対して抜去可能となっている。そして、いずれかのファンユニットが故障した場合には、故障したファンユニットを独立して交換できるようになっている。
【０００３】
ところで、上記電子装置では、一つのファンユニットが故障しても、他のファンユニットが稼働を続けることにより、筐体の内部が負圧に維持される。したがって、故障したファンユニットを収容部から抜去すると、収容部を通じて筐体の内部に風が逆流し、筐体の内部温度が上昇する可能性がある。そこで、収容部にシャッタを設けることが提案されている（例えば、特許文献１〜３参照）。
【０００４】
このように、収容部にシャッタを設けると、故障したファンユニットを収容部から抜去した場合でも、シャッタが閉じることで収容部が閉止されるので、筐体の内部への風の逆流を抑止できることが期待できる。
【先行技術文献】
【特許文献】
【０００５】
【特許文献１】特開２０１４−２３２７４９号公報
【特許文献２】特開２０１４−９６４７８号公報
【特許文献３】特開２０１４−７３４６号公報
【発明の概要】
【発明が解決しようとする課題】
【０００６】
しかしながら、シャッタがファンユニットの挿入方向に開く構造になっていると、次の問題がある。すなわち、ファンユニットを収容部から抜去した場合に、筐体の内外の圧力差が大きいと、収容部に逆流する風が強くなり、シャッタが完全に閉じずに中途半端な位置で止まってしまう可能性がある。この場合には、シャッタに生じた隙間から風が漏れる虞がある。例えば、ファンが筐体内部から筐体外部（収容部）方向に風を送り、複数のファンユニットがあると仮定し、そのうちの一つのファンユニットを抜去したときは次のようになる。筐体内部は、抜去していないファンユニットが稼動しているため、筐体外部つまり収容部側よりも圧力が小となる。このため、シャッタは収容部側から筐体内部方向に風を受け、シャッタが筐体内部方向に開いてしまう可能性があり、これによって生じた隙間から風が漏れる虞がある。
【０００７】
そこで、本願の開示する技術は、一つの側面として、シャッタの風漏れを抑制できる電子装置を提供することを目的とする。
【課題を解決するための手段】
【０００８】
上記目的を達成するために、本願の開示する技術に係る電子装置は、筐体と、ファンユニットと、シャッタと、突出部と、第一押し部と、第二押し部とを備える。筐体は、収容部を有する。ファンユニットは、収容部に挿入され、収容部に対して抜去可能である。シャッタは、収容部に対して回動可能に支持された第一扉と、第一扉の回動端部に回動可能に連結された第二扉とを有する。突出部は、第一扉に形成されており、第一扉の収容部に対する回動軸よりも回動端部と反対側に突出する。第一押し部は、ファンユニットに設けられており、ファンユニットが収容部に挿入されていくと、突出部に当接する位置に配置されている。第二押し部は、ファンユニットに設けられており、ファンユニットが収容部に挿入されていくと、第二扉に当接する位置に配置されている。
【発明の効果】
【０００９】
本願の開示する技術によれば、シャッタの風漏れを抑制できる。
【図面の簡単な説明】
【００１０】
【図１】本実施形態に係る電子装置を後側から見た斜視図であって、中央のファンユニットを収容部から抜去した状態を示す図である。
【図２】図１に示される筐体の天板を外した状態での電子装置の二面図である。
【図３】図１に示される収容部及びその周辺部の斜視図であって、ファンユニットを収容部から抜去した状態を示す図である。
【図４】図３に示される収容部及びその周辺部の縦断面図であって、ファンユニットを収容部の半分まで挿入した状態を示す図である。
【図５】図３、図４に示されるシャッタの斜視図である。
【図６】図５に示される第二扉の回動軌跡を示す図である。
【図７】図１に示されるファンユニットを前側から見た斜視図である。
【図８】図７に示されるファンユニットの三面図である。
【図９】図７、図８に示されるファンユニットが収容部に挿入される様子を示す図である。
【図１０】図９に対してファンユニットが収容部にさらに挿入される様子を示す図である。
【図１１】図１０に示されるシャッタが開いた状態において、ファンユニットの挿入方向からシャッタ及びファンユニットを見た前面図である。
【図１２】図１０に示されるファンユニットが収容部から引き抜かれる様子を示す図である。
【図１３】図１２に対してファンユニットが収容部からさらに引き抜かれる様子を示す図である。
【図１４】図１３に示されるファンユニットが収容部から抜去され、収容部に風が逆流する様子を示す斜視図である。
【図１５】図１４に示される逆流する風の圧力によりシャッタが閉じられる様子を示す図である。
【図１６】図１５に示されるシャッタが閉じた状態をファンユニットの抜去方向から見た後面図である。
【発明を実施するための形態】
【００１１】
はじめに、本願の開示する技術の一実施形態に係る電子装置の構成を説明する。
【００１２】
図１は、本実施形態に係る電子装置１０を後側から見た斜視図である。図１に示されるように、本実施形態に係る電子装置１０は、筐体２０と、複数のファンユニット３０とを備える。筐体２０は、偏平薄型の箱状に形成されている。図１及び以下に説明する各図において、矢印ＦＲ、矢印ＵＰ、矢印ＬＨは、筐体２０の前後方向前側、高さ方向上側、幅方向左側をそれぞれ示している。
【００１３】
筐体２０の後面には、複数の挿入口２１が形成されており、筐体２０の内部には、複数の挿入口２１と対応して複数の収容部２２が設けられている。複数のファンユニット３０は、筐体２０の後側から各挿入口２１を通じて各収容部２２に挿入される。各収容部２２に挿入された複数のファンユニット３０は、各収容部２２からそれぞれ独立して抜去可能である。図１では、一例として、中央のファンユニット３０が収容部２２から抜去された状態で示されている。
【００１４】
図２は、図１に示される筐体２０の天板を外した状態での電子装置１０の二面図である。図２に示されるように、複数のファンユニット３０は、各収容部２２に挿入された状態では、筐体２０の幅方向に並んで配置される。筐体２０の内部には、基板６０が配置されている。基板６０には、筐体２０の後側に向けて開口する矩形状の切欠部６１が形成されている。この切欠部６１の内側には、複数の収容部２２が位置しており、複数のファンユニット３０は、各収容部２２に挿入された状態では切欠部６１の内側に配置される。
【００１５】
筐体２０の内部には、筐体２０の前後方向に延びる複数の隔壁２３が設けられている。この複数の隔壁２３は、各収容部２２の両側の側部にそれぞれ配置されており、各収容部２２は、両側一対の隔壁２３によって区画されている。各収容部２２の挿入口２１と反対側、すなわち、収容部２２の奥側は、筐体２０の内部と連通する通気口２４として形成されている。また、筐体２０の前面には、吸気口２５が形成されている。通気口２４及び吸気口２５は、筐体２０の内部を通じて連通している。
【００１６】
そして、この電子装置１０では、ファンユニット３０が収容部２２に収容された状態で、ファンユニット３０が作動すると、吸気口２５から空気が吸引される。また、筐体２０の内部の空気が通気口２４及びファンユニット３０の内部を通じて筐体２０の後側に排出される。このようにファンユニット３０が作動すると、筐体２０の内部に筐体２０の前後方向への風Ｗの流れが形成され、筐体２０の内部が冷却される。
【００１７】
図３は、図１に示される収容部２２及びその周辺部の斜視図であり、図４は、図３に示される収容部２２及びその周辺部の縦断面図である。図３では、ファンユニット３０が収容部２２から抜去された状態が示されており、図４では、ファンユニット３０が収容部２２の半分まで挿入された状態が示されている。図３、図４に示されるように、通気口２４には、この通気口２４を開閉するシャッタ４０が配置されている。図３、図４では、シャッタ４０が閉じた状態で示されている。
【００１８】
シャッタ４０は、第一扉４１及び第二扉４２を有する。この第一扉４１及び第二扉４２は、筐体２０の高さ方向に並んでおり、第一扉４１は、シャッタ４０の上部を形成し、第二扉４２は、シャッタ４０の下部を形成している。この第一扉４１及び第二扉４２は、それぞれ板状に形成されており、収容部２２の貫通方向、すなわち、筐体２０の前後方向を板厚方向として配置されている。以降の説明では、便宜上、シャッタ４０における筐体２０の後側を向く面をシャッタ４０の前面とし、シャッタ４０における筐体２０の前側を向く面をシャッタ４０の後面とする。
【００１９】
基板６０は、通気口２４に対するファンユニット３０側と反対側、すなわち、シャッタ４０の後側に配置されている。この基板６０に形成された切欠部６１の横縁部６１Ａ（図２も参照）は、シャッタ４０が閉じた状態ではシャッタ４０に近接する。基板６０には、シャッタ４０と対向してコネクタ６７（図４参照）が設けられている。
【００２０】
図５は、図３、図４に示されるシャッタ４０の斜視図であり、図６は、図５に示される第二扉４２の回動軌跡を示す図である。図５、図６に示されるように、第一扉４１の上端部４１Ａには、第一回動軸４３が設けられている。第一回動軸４３は、第一扉４１を横方向に貫通しており、第一回動軸４３の両端部は、第一扉４１の両側の側面から突出している。
【００２１】
第一回動軸４３の両端部は、上述の収容部２２を形成する両側一対の隔壁２３（図３参照）に回動可能に固定され、第一扉４１は、第一回動軸４３によって収容部２２に対して回動可能に支持される。また、第一扉４１の下端部４１Ｂには、第一回動軸４３と平行な第二回動軸４４が設けられており、第二扉４２の上端部４２Ａは、第二回動軸４４によって第一扉４１の下端部４１Ｂに回動可能に連結されている。第二扉４２は、第一扉４１の後側に回動する（図６参照）。
【００２２】
第一扉４１の第一回動軸４３よりも上側に突出する部分は、突出部４５として形成されている。この突出部４５は、第一扉４１の幅方向の一端から他端に亘って形成されている。図４に示されるように、筐体２０の天板には、筐体２０の前後方向に延びる上壁部２６が形成されており、第一回動軸４３は、上壁部２６に近接して配置されている。シャッタ４０が閉じた状態において、突出部４５は、第一回動軸４３と上壁部２６との間に配置される。
【００２３】
図５に示されるように、第一扉４１の下端部４１Ｂ及び第二扉４２の上端部４２Ａには、それぞれストッパ４６、４７が形成されている。ストッパ４６、４７は、第一扉４１及び第二扉４２の幅方向の一端から他端に亘って形成されている。シャッタ４０が閉じた状態において、第一扉４１のストッパ４６は、シャッタ４０の高さ方向に第二扉４２のストッパ４７とオーバラップする。この第一扉４１の下端部４１Ｂ及び第二扉４２の上端部４２Ａのうち互いにシャッタ４０の高さ方向にオーバラップする部分がストッパ４６、４７である。また、シャッタ４０が閉じた状態では、第一扉４１のストッパ４６が第二扉４２のストッパ４７に対してシャッタ４０の前側に位置し、ストッパ４６とストッパ４７とが重なった状態になる。
【００２４】
第一扉４１及び第二扉４２の両側の側面からは、突起状の係止部４８がそれぞれ突出している。一方、図３に示されるように、収容部２２を形成する両側一対の隔壁２３には、隔壁２３の厚さ方向に凹む凹部２７が形成されている。図３では、一方の隔壁２３に形成された凹部２７が隠れており不図示となっている。各凹部２７の内周面のうち筐体２０の後側を向く面は、シャッタ４０が閉じた状態で係止部４８と係止する被係止部２８として形成されている。この被係止部２８及び係止部４８は、シャッタ４０が閉位置を超える方向へ回動することを規制する規制部５０を形成する。
【００２５】
図５に示されるように、第二扉４２には、シャッタ４０の前側に突出する一対のスペーサ４９が形成されている。この一対のスペーサ４９は、第二扉４２の幅方向両側の端部に形成されている。
【００２６】
図４に示されるように、シャッタ４０の高さ方向の長さ、すなわち、第一扉４１の上縁から第二扉４２の下縁までの長さは、通気口２４の高さと略同じ寸法に設定されている。シャッタ４０が閉じた状態において、第二扉４２の下端部４２Ｂは、筐体２０の底板に形成された下壁部２９と近接する。図５に示されるように、第二扉４２の下端部４２Ｂは、シャッタ４０の幅方向に延びる直線状に形成されている。
【００２７】
第一扉４１及び第二扉４２の有効長さは、次のように設定されている。すなわち、ここでは、第一扉４１の有効長さを、第一扉４１の上縁（突出部４５の突端）から第二回動軸４４の中心までの長さＬ１とし、第二扉４２の有効長さを、第二回動軸４４の中心から第二扉４２の下縁（回動端）までの長さＬ２とする。そして、このように各長さを規定した場合に、第二扉４２の有効長さＬ２は、第一扉４１の有効長さＬ１以下に設定される。
【００２８】
なお、本実施形態において、第一扉４１の下端部４１Ｂは、「第一扉の回動端部」に相当し、第一扉４１の上端部４１Ａは、「第一扉の回動端部と反対側の端部」に相当する。また、第二扉４２の下端部は、「第二扉の回動端部」に相当し、第二扉４２の上端部４２Ａは、「第二扉の回動端部と反対側の端部」に相当する。さらに、突出部４５は、「第一扉の回動軸よりも回動端部と反対側に突出する突出部」の一例であり、筐体２０の上壁部２６は、「ファンユニットの挿入方向に延びる壁部」の一例である。
【００２９】
図７は、図１に示されるファンユニット３０を前側から見た斜視図であり、図８は、図７に示されるファンユニット３０の三面図（前面図、側面図、後面図）である。図７、図８に示されるように、ファンユニット３０は、延出部３１を有する。延出部３１は、ファンユニット３０の高さ方向を板厚方向とする板状に形成されており、ファンユニット３０の上端部からファンユニット３０の前側に延びている。この延出部３１の先端部は、第一押し部３２として形成されている。この第一押し部３２は、後に詳述するように、ファンユニット３０が収容部２２に挿入されていくと、突出部４５に当接する位置に配置されている。
【００３０】
また、ファンユニット３０は、板状の対向部３３を有する。対向部３３は、延出部３１の下側に延出部３１と対向して配置されている。この対向部３３の前端部には、ファンユニット３０の下側に折り曲げられた第二押し部３４が形成されている。この第二押し部３４は、後に詳述するように、ファンユニット３０が収容部２２に挿入されていくと、第二扉４２に当接する位置に配置されている。
【００３１】
図８に示されるように、ファンユニット３０は、一対の吸気口３５と、一対の排気口３６とを有する。吸気口３５は、ファンユニット３０の前部に設けられており、排気口３６は、ファンユニット３０の後部に設けられている。吸気口３５及び排気口３６は、概略円形に形成されている。また、ファンユニット３０の前部には、コネクタ３７が設けられている。
【００３２】
次に、上述のシャッタ４０を開閉する動作と併せて各部の構造をさらに詳しく説明する。
【００３３】
（シャッタ４０を開く動作）
はじめに、ファンユニット３０を収容部２２に挿入してシャッタ４０を開く動作について説明する。図９は、図７、図８に示されるファンユニット３０が収容部２２に挿入される様子を示す図である。図９に示されるように、ファンユニット３０は、筐体２０の後側から収容部２２に挿入される。ファンユニット３０が収容部２２に挿入されていくと、延出部３１が筐体２０の上壁部２６に沿って筐体２０の前側に移動し、この延出部３１が上壁部２６と第一回動軸４３との間に挿入される。
【００３４】
ここで、シャッタ４０が閉じている状態では、上壁部２６と第一回動軸４３との間に突出部４５が配置される。したがって、延出部３１が上壁部２６と第一回動軸４３との間に挿入されると、延出部３１の先端部に形成された第一押し部３２によって突出部４５が筐体２０の前側に向けて押される。また、このようにして突出部４５が筐体２０の前側に向けて押されると、第一扉４１が第一回動軸４３を中心にして筐体２０の後側、すなわち、ファンユニット３０の挿入方向と逆方向（Ｒ１方向）に回動する。
【００３５】
このように第一扉４１が筐体２０の後側に回動するときには、第二扉４２が自重により垂直に維持される。そして、第一押し部３２が上壁部２６と第一回動軸４３との間を突き抜けると、第二扉４２の前面に設けられた一対のスペーサ４９が第二押し部３４に当接される。
【００３６】
図１０は、図９に対してファンユニット３０が収容部２２にさらに挿入される様子を示す図である。図１０に示されるように、ファンユニット３０が収容部２２にさらに挿入されていくと、第二押し部３４がスペーサ４９を押圧する。これにより、第二扉４２が第二押し部３４によって押され、第二扉４２が筐体２０の前側、すなわち、ファンユニット３０の挿入方向（Ｒ２方向）に回動する。
【００３７】
そして、ファンユニット３０が収容部２２の奥側まで挿入されると、シャッタ４０が延出部３１と対向部３３との間に折り畳まれた状態で収納される。また、シャッタ４０が折り畳まれた状態では、第二扉４２がスペーサ４９を介して対向部３３の上に載置される。そして、ファンユニット３０が収容部２２に挿入された状態では、第二扉４２がスペーサ４９を介して対向部３３の上に載置されると共に、突出部４５が第一押し部３２によって下側に押え付けられることにより、シャッタ４０が折り畳まれた状態に維持される。
【００３８】
また、このようにしてシャッタ４０が折り畳まれた状態では、スペーサ４９が対向部３３と当接することにより、第二扉４２が対向部３３に対して上側に離間する。そして、この第二扉４２と対向部３３との間には、連通路３８（後述する図１１も参照）が形成される。連通路３８は、ファンユニット３０の前部に設けられた吸気口３５と、筐体２０の内部（シャッタ４０よりも筐体２０の前側）とを連通する。
【００３９】
図１１は、図１０に示されるシャッタ４０が開いた状態において、ファンユニット３０の挿入方向からシャッタ４０及びファンユニット３０を見た前面図である。図１１に示されるように、折り畳まれた状態のシャッタ４０とファンユニット３０とをファンユニット３０の挿入方向に沿って見た場合に、スペーサ４９は、吸気口３５から外れた位置、すなわち、吸気口３５の径方向外側に位置する。
【００４０】
なお、図１０に示されるように、ファンユニット３０が収容部２２の奥側まで挿入されると、基板６０のコネクタ６７がファンユニット３０のコネクタ３７と接続される。そして、ファンユニット３０のモータ部には、コネクタ３７、６７を通じて基板６０から電力が供給される。
【００４１】
（シャッタ４０を閉じる動作）
次に、ファンユニット３０を収容部２２から抜去してシャッタ４０を閉じる動作について説明する。図１２は、図１０に示されるファンユニット３０が収容部２２から引き抜かれる様子を示す図である。図１２に示されるように、ファンユニット３０が収容部２２から引き抜かれていくと、対向部３３がスペーサ４９に対して筐体２０の後側に移動する。そして、対向部３３がスペーサ４９よりも筐体２０の後側に位置すると、対向部３３による第二扉４２の支持状態が解除され、第二扉４２が自重により筐体２０の後側、すなわち、ファンユニット３０の抜去方向（Ｒ２’方向）に回動する。
【００４２】
このとき、第二扉４２は、筐体２０の前側からスペーサ４９が第二押し部３４に当接するまで回動する。このように筐体２０の前側からスペーサ４９が第二押し部３４に当接した状態に第二扉４２が回動するまでは、第一押し部３２が上壁部２６と第一回動軸４３との間に挿入されたままである。したがって、第一押し部３２が突出部４５と当接することにより第一扉４１の回動が規制される。
【００４３】
図１３は、図１２に対してファンユニット３０が収容部２２からさらに引き抜かれる様子を示す図である。図１３に示されるように、ファンユニット３０が収容部２２からさらに引き抜かれていくと、第二押し部３４がスペーサ４９に対して筐体２０の後側に移動する。また、このときには、第一押し部３２が上壁部２６と第一回動軸４３との間から引き抜かれることで、第一扉４１の回動が規制された状態が解除される。そして、第一扉４１が筐体２０の前側、すなわち、ファンユニット３０の抜去方向と反対方向（Ｒ１’方向）に回動する。このとき、第二扉４２は、自重により垂直な状態に維持される。
【００４４】
図１４は、図１３に示されるファンユニット３０が収容部２２から抜去された状態を示す図である。図１４に示されるように、一のファンユニット３０が収容部２２から抜去された場合に、他のファンユニット３０が稼働を続けていると、筐体２０の内部が負圧に維持される。このため、一のファンユニット３０を収容部２２から抜去すると、この収容部２２を通じて筐体２０の内部に風Ｗ’が逆流する。図１４では、逆流する風Ｗ’の圧力をシャッタ４０が受ける前の状態が示されており、第一扉４１が筐体２０の後側に向けて傾斜し、シャッタ４０が完全に閉じる前の状態となっている。
【００４５】
図１５は、図１４に示される逆流する風Ｗ’の圧力によりシャッタ４０が閉じられる様子を示す図である。図１５に示されるように、収容部２２に風Ｗ’が逆流すると、この風Ｗ’の圧力がシャッタ４０の前面全体に作用する。これにより、シャッタ４０が筐体２０の前側に向けて押され、第一扉４１が筐体２０の前側に向けて回動する。
【００４６】
そして、第二扉４２と共に第一扉４１が垂直になると、シャッタ４０が閉じた状態になる。このようにシャッタ４０が閉じた状態では、シャッタ４０が閉位置を超える方向（筐体２０の前側）へ回動することが規制部５０によって規制される。
【００４７】
図１６は、図１５に示されるシャッタ４０が閉じた状態を筐体２０の後側、すなわち、ファンユニット３０の抜去方向から見た後面図である。規制部５０は、具体的には、収容部２２の両側の隔壁２３に形成された被係止部２８と、第一扉４１及び第二扉４２に形成された係止部４８とを有する。そして、シャッタ４０が閉じた状態では、被係止部２８及び係止部４８が係止することで、シャッタ４０が閉位置を超える方向へ回動することが規制される。
【００４８】
また、シャッタ４０が閉じた状態では、第一扉４１の下端部に形成されたストッパ４６が第二扉４２の上端部に形成されたストッパ４７に対してシャッタ４０の前側（筐体２０の後側）に位置し、ストッパ４６とストッパ４７とが重なった状態になる。そして、これにより、第二扉４２が第一扉４１に対して筐体２０の後側、すなわち、ファンユニット３０の挿入方向と逆方向へ回動することが規制される。
【００４９】
次に、本実施形態の作用及び効果について説明する。
【００５０】
本実施形態では、図１０に示されるように、ファンユニット３０が収容部２２に挿入されると、第一扉４１がファンユニット３０の挿入方向と逆方向（筐体２０の後側）に回動し、第二扉４２がファンユニット３０の挿入方向（筐体２０の前側）に回動する。そして、このようにシャッタ４０が開く形態を採用することにより、ファンユニット３０が収容部２２から抜去され、ファンユニット３０の挿入方向と逆方向から収容部２２に風Ｗ’（図１５参照）が逆流する場合には、シャッタ４０に対して閉じる方向に風の圧力を作用させることができる。したがって、収容部２２に逆流する風の圧力を利用してシャッタ４０を閉じることができるので、シャッタ４０の風漏れを抑制できる。
【００５１】
また、本実施形態では、上述のように収容部２２に逆流する風の圧力を利用してシャッタ４０が閉じられる。したがって、シャッタ４０を閉じるためのバネ等の付勢部材をシャッタ４０に設けなくて済むので、シャッタ４０の構造を簡素化できると共にコストを低減できる。また、バネ等の付勢部材を配置するための切欠部や逃げ部等をシャッタ４０に設けなくて済むので、シャッタ４０の密閉性を向上させることができる。
【００５２】
また、本実施形態では、図９、図１０に示されるように、シャッタ４０が開くときには、第一扉４１がファンユニット３０の挿入方向と逆方向（筐体２０の後側）に回動し、シャッタ４０の全体が基板６０と反対方向に移動する。したがって、シャッタ４０の開閉時にシャッタ４０と基板６０との干渉を抑制できる。これにより、基板６０との干渉を抑制するための切欠部や逃げ部等をシャッタ４０に設けなくて済むので、このことによっても、シャッタ４０の密閉性を向上させることができる。
【００５３】
また、本実施形態では、シャッタ４０が開くときには、シャッタ４０の全体が基板６０と反対方向、すなわち、ファンユニット３０側に移動する。しかしながら、シャッタ４０は、開いた状態では折り畳まれる。したがって、シャッタ４０との干渉防止のためにファンユニット３０を小さくしなくて済むので、ファンユニット３０の出力を確保できる。また、ファンユニット３０とシャッタ４０との干渉防止のためのデッドスペースも小さくできるので、筐体２０の内部におけるスペース効率を向上させることができる。
【００５４】
また、本実施形態では、上述のように、シャッタ４０が開くときには、シャッタ４０の全体が基板６０と反対方向に移動する。したがって、基板６０をシャッタ４０に近づけて配置することが可能である。そして、本実施形態において、基板６０（切欠部６１の横縁部６１Ａ）は、シャッタ４０側に拡大されており、シャッタ４０が閉じた状態ではシャッタ４０に近接する。したがって、基板６０をシャッタ４０側に拡大した分、基板６０の実装領域を拡げることができる。
【００５５】
また、本実施形態では、図５に示されるように、シャッタ４０の上端部にバネ等の付勢部材を配置するための切欠部や逃げ部等が形成されておらず、シャッタ４０の上端部に形成された突出部４５は、第一扉４１の幅方向の一端から他端に亘って形成されている。したがって、図４に示されるように、シャッタ４０が閉じた状態では、突出部４５によって第一回動軸４３と上壁部２６との間を閉塞できる。これにより、シャッタ４０の上側の風漏れを抑制できる。
【００５６】
また、本実施形態では、図５に示されるように、シャッタ４０の下端部に基板６０との干渉を抑制するための切欠部や逃げ部等が形成されておらず、第二扉４２の下端部４２Ｂは、シャッタ４０の幅方向に延びる直線状に形成されている。したがって、図４に示されるように、シャッタ４０が閉じた状態では、第二扉４２の下端部４２Ｂをシャッタ４０の幅方向に亘って下壁部２９に近接させることができる。これにより、シャッタ４０の下側の風漏れを抑制できる。
【００５７】
また、本実施形態では、図９に示されるように、ファンユニット３０が、ファンユニット３０の前側に延出する延出部３１を有し、第一押し部３２は、延出部３１の先端部に形成されている。したがって、第一押し部３２がファンユニット３０の前部から前側に離間した位置に配置され、第一押し部３２とファンユニット３０の前部との間には、スペースが確保される。これにより、第一押し部３２が突出部４５を押して第一扉４１が回動するときには、第一扉４１がファンユニット３０の前部と干渉することを抑制できる。
【００５８】
また、本実施形態では、図１０に示されるように、第一回動軸４３が、上壁部２６に近接して配置されており、ファンユニット３０が収容部２２に挿入された状態では、延出部３１が上壁部２６と第一回動軸４３との間に挿入される。したがって、ファンユニット３０の作動に伴う風の流れに対して延出部３１が上壁部２６側にずれた位置に配置されるので、ファンユニット３０の作動に伴う風の流れが延出部３１と干渉することを抑制できる。これにより、筐体２０の内部の冷却性を確保できる。
【００５９】
また、第一回動軸４３が、上壁部２６に近接して配置されているので、シャッタ４０が折り畳まれた状態では、シャッタ４０全体が上壁部２６側に移動する。したがって、ファンユニット３０の作動に伴う風の流れがシャッタ４０と干渉することも抑制できるので、このことによっても、筐体２０の内部の冷却性を確保できる。
【００６０】
また、本実施形態では、ファンユニット３０が、延出部３１と対向する対向部３３を有し、シャッタ４０は、延出部３１と対向部３３との間に折り畳まれた状態で収納される。したがって、折り畳まれたシャッタ４０と、ファンユニット３０とが筐体２０の前後方向に並ぶことが回避されるので、筐体２０が前後方向に拡大することを抑制できる。
【００６１】
また、本実施形態では、第二扉４２がスペーサ４９を有しており、シャッタ４０が折り畳まれた状態では、スペーサ４９が対向部３３と当接する。そして、これにより、第二扉４２が対向部３３に対して上側に離間し、第二扉４２と対向部３３との間にファンユニット３０の吸気口３５と通気口２４とを連通する連通路３８が形成される。したがって、ファンユニット３０の作動に伴う風の流れがシャッタ４０と干渉することを抑制できるので、筐体２０の内部の冷却性を確保できる。
【００６２】
また、本実施形態では、図１１に示されるように、折り畳まれた状態のシャッタ４０と、ファンユニット３０とを、ファンユニット３０の挿入方向に沿って見た場合に、スペーサ４９は、ファンユニット３０の吸気口３５から外れた位置に配置される。したがって、ファンユニット３０の作動に伴う風の流れがスペーサ４９と干渉することを抑制できるので、筐体２０の内部の冷却性を確保できる。
【００６３】
また、本実施形態では、図５に示されるように、第二扉４２の有効長さＬ２が、第一扉４１の有効長さＬ１以下に設定されている。したがって、図１０に示されるように、シャッタ４０が折り畳まれた状態では、第二扉４２の下端部が基板６０側に張り出すことを抑制できる。これにより、基板６０や基板６０に実装された部品等と第二扉４２との干渉を抑制できる。
【００６４】
また、本実施形態では、シャッタ４０が折り畳まれた状態では、第二扉４２が対向部３３の上に載置される。したがって、図１２に示されるように、ファンユニット３０が収容部２２から引き抜かれて第二扉４２が対向部３３からずれた状態では、第二扉４２が自重によりファンユニット３０の抜去方向に回動する。これにより、第二扉４２を回動させるためのバネ等の付勢部材をシャッタ４０に設けなくて済むので、シャッタ４０の構造を簡素化できると共にコストを低減できる。また、バネ等の付勢部材を配置するための切欠部や逃げ部等をシャッタ４０に設けなくて済むので、シャッタ４０の密閉性を向上させることができる。
【００６５】
また、本実施形態では、図１５に示されるように、ファンユニット３０が収容部２２から抜去されてシャッタ４０が閉じた状態では、シャッタ４０が閉位置を超える方向へ回動することが規制部５０によって規制される。これにより、収容部２２に逆流する風Ｗ’が強くなった場合でも、シャッタ４０が閉位置を超える方向へ回動することを抑制できる。これにより、シャッタ４０の風漏れをより一層効果的に抑制できる。
【００６６】
また、本実施形態では、図１６に示されるように、規制部５０が、収容部２２に設けられた被係止部２８と、第一扉４１及び第二扉４２の側面から突出する係止部４８とを有する。したがって、シャッタ４０が閉じた状態では、シャッタ４０と両側一対の隔壁２３との間の隙間が係止部４８によって部分的に閉塞されるので、シャッタ４０の側方の風漏れを抑制できる。
【００６７】
また、本実施形態では、第一扉４１の下端部及び第二扉４２の上端部には、それぞれストッパ４６、４７が形成されている。そして、シャッタ４０が閉じた状態では、第一扉４１のストッパ４６が第二扉４２のストッパ４７に対してシャッタ４０の前側に位置し、ストッパ４６とストッパ４７とが重なった状態になる。したがって、シャッタ４０が閉じた状態では、第二扉４２が第一扉４１に対してファンユニット３０の挿入方向と逆方向へ回動することをストッパ４６、４７によって規制できる。これにより、第二扉４２が第一扉４１に対してファンユニット３０の挿入方向と逆方向へ不意に回動することを抑制できるので、シャッタ４０の風漏れをより一層効果的に抑制できる。
【００６８】
次に、本実施形態の変形例について説明する。
【００６９】
上記実施形態において、第一扉４１及び第二扉４２は、筐体２０の高さ方向に並んでいる。しかしながら、第一扉４１及び第二扉４２は、筐体２０の横方向に並んでいても良い。また、第一扉４１及び第二扉４２が筐体２０の横方向に並ぶことに対応して、上記各構造も適宜変更されても良い。
【００７０】
また、上記実施形態おいて、基板６０は、好ましくは、シャッタ４０に近接して配置されるが、基板６０は、シャッタ４０から離れて配置されていても良い。
【００７１】
また、上記実施形態において、突出部４５は、好ましくは、第一扉４１の幅方向の一端から他端に亘って形成されるが、突出部４５は、第一扉４１の幅方向の一部に形成されていても良い。
【００７２】
また、上記実施形態において、第二扉４２の下端部４２Ｂは、好ましくは、シャッタ４０の幅方向に延びる直線状に形成されるが、第二扉４２の下端部４２Ｂは、例えば切欠部や逃げ部等を有することにより直線状でなくても良い。
【００７３】
また、上記実施形態において、第一押し部３２は、ファンユニット３０の前側に延出する延出部３１の先端部に形成されているが、第一押し部３２は、ファンユニット３０のその他の部位に設けられていても良い。
【００７４】
また、上記実施形態において、第一回動軸４３は、好ましくは、上壁部２６に近接して配置されるが、第一回動軸４３は、上壁部２６から離れて配置されても良い。
【００７５】
また、上記実施形態において、ファンユニット３０は、好ましくは、延出部３１と対向する対向部３３を有し、シャッタ４０は、延出部３１と対向部３３との間に折り畳まれた状態で収納される。しかしながら、シャッタ４０は、折り畳まれた状態で筐体２０の前後方向にファンユニット３０と並んでも良い。
【００７６】
また、上記実施形態において、好ましくは、シャッタ４０が折り畳まれた状態では、第二扉４２が対向部３３の上に載置され、これにより、第二扉４２の回動が規制される。しかしながら、シャッタ４０が折り畳まれた状態において、第二扉４２の回動が対向部３３以外の部位によって規制されても良い。
【００７７】
また、上記実施形態において、第二扉４２は、好ましくは、スペーサ４９を有するが、スペーサ４９は省かれても良い。
【００７８】
また、上記実施形態において、折り畳まれた状態のシャッタ４０、及び、ファンユニット３０をファンユニット３０の挿入方向に沿って見た場合に、スペーサ４９は、好ましくは、吸気口３５から外れた位置に配置される。しかしながら、スペーサ４９は、吸気口２５３５と重なる位置に配置されても良い。
【００７９】
また、上記実施形態において、好ましくは、規制部５０が適用されるが、規制部５０は省かれても良い。
【００８０】
また、上記実施形態において、規制部５０は、収容部２２の両側の隔壁２３に設けられた被係止部２８と、第一扉４１及び第二扉４２の側面に設けられた係止部４８とを有するが、規制部５０は、上記以外の構造でも良い。
【００８１】
また、上記実施形態において、係止部４８は、第一扉４１の側面及び第二扉４２の側面の両方に設けられているが、係止部４８は、第一扉４１の側面及び第二扉４２の側面のうちどちらか一方に設けられても良い。また、係止部４８は、第一扉４１及び第二扉４２の両側の側面に設けられているが、係止部４８は、第一扉４１及び第二扉４２の片側の側面に設けられていても良い。
【００８２】
また、上記実施形態において、第一扉４１の下端部４１Ｂ及び第二扉４２の上端部４２Ａには、好ましくは、ストッパ４６、４７が形成されるが、ストッパ４６、４７は省かれても良い。
【００８３】
また、上記複数の変形例のうち組み合わせ可能な変形例は、適宜組み合わされても良い。
【００８４】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００８５】
なお、上述の本願の開示する技術の一実施形態に関し、更に以下の付記を開示する。
【００８６】
（付記１）
収容部を有する筐体と、
前記収容部に挿入され、前記収容部に対して抜去可能であるファンユニットと、
前記収容部に対して回動可能に支持された第一扉と、前記第一扉の回動端部に回動可能に連結された第二扉とを有するシャッタと、
前記第一扉に形成され、前記第一扉の前記収容部に対する回動軸よりも前記回動端部と反対側に突出する突出部と、
前記ファンユニットに設けられ、前記ファンユニットが前記収容部に挿入されていくと、前記突出部に当接する位置に配置された第一押し部と、
前記ファンユニットに設けられ、前記ファンユニットが前記収容部に挿入されていくと、前記第二扉に当接する位置に配置された第二押し部と、
を備える電子装置。
（付記２）
前記第一押し部は、前記ファンユニットが前記収容部に挿入されていくと、前記突出部を押して前記第一扉を前記ファンユニットの挿入方向と逆方向に回動させ、
前記第二押し部は、前記ファンユニットが前記収容部に挿入されていくと、前記第二扉を押して前記第二扉を前記ファンユニットの挿入方向に回動させ、前記シャッタを折り畳まれた状態に開かせる、
付記１に記載の電子装置。
（付記３）
前記収容部及び前記ファンユニットをそれぞれ複数備える、
付記１又は付記２に記載の電子装置。
（付記４）
前記筐体の内部には、前記シャッタが閉じた状態において前記ファンユニット側と反対側から前記シャッタに近接する基板が配置されている、
付記１又は付記３に記載の電子装置。
（付記５）
前記突出部は、前記第一扉の幅方向の一端から他端に亘って形成されている、
付記１〜付記４のいずれか一項に記載の電子装置。
（付記６）
前記第二扉の回動端部は、前記シャッタの幅方向に延びる直線状に形成されている、
付記１〜付記５のいずれか一項に記載の電子装置。
（付記７）
前記ファンユニットは、前記ファンユニットの前側に延出する延出部を有し、
前記第一押し部は、前記延出部の先端部に形成されている、
付記１〜付記６のいずれか一項に記載の電子装置。
（付記８）
前記筐体は、前記ファンユニットの挿入方向に延びる壁部を有し、
前記第一扉の前記収容部に対する回動軸は、前記壁部に近接して配置され、
前記延出部は、前記壁部と前記第一扉の前記収容部に対する回動軸との間に挿入される、
付記７に記載の電子装置。
（付記９）
前記ファンユニットは、前記延出部と対向する対向部を有し、
前記シャッタは、前記延出部と前記対向部との間に折り畳まれた状態で収納される、
付記７又は付記８に記載の電子装置。
（付記１０）
前記第一扉及び前記第二扉は、前記筐体の高さ方向に並んでおり、
前記第一扉の上端部は、前記収容部に回動可能に固定され、
前記第二扉は、前記シャッタが折り畳まれた状態では、前記対向部の上に載置される、
付記９に記載の電子装置。
（付記１１）
前記第二扉は、前記シャッタが折り畳まれた状態では、前記対向部と当接して前記第二扉を前記対向部に対して離間させるスペーサを有し、
前記第二扉と前記対向部との間には、前記ファンユニットの前部に設けられた吸気口と前記筐体の内部とを連通する連通路が形成される、
付記１〜付記１０のいずれか一項に記載の電子装置。
（付記１２）
折り畳まれた状態の前記シャッタ及び前記ファンユニットを前記ファンユニットの挿入方向に沿って見た場合に、前記スペーサは、前記吸気口から外れた位置に配置される、
付記１１に記載の電子装置。
（付記１３）
前記第二扉における回動軸の中心から回動端部までの長さは、前記突出部の突端から前記第二扉の回動軸の中心までの長さ以下である、
付記１〜付記１２のいずれか一項に記載の電子装置。
（付記１４）
前記シャッタが閉じた場合に、前記シャッタが閉位置を超える方向へ回動することを規制する規制部を備える、
付記１〜付記１３のいずれか一項に記載の電子装置。
（付記１５）
前記規制部は、
前記収容部に設けられ、前記ファンユニットの挿入方向と逆方向を向く面を有する被係止部と、
前記第一扉及び前記第二扉の少なくとも一方の側面から突出し、前記被係止部と係止する係止部と、
を有する、
付記１４に記載の電子装置。
（付記１６）
前記シャッタが閉じた場合に、前記第二扉が前記第一扉に対して前記ファンユニットの挿入方向と逆方向へ回動することを規制するストッパを備える、
付記１〜付記１５のいずれか一項に記載の電子装置。
（付記１７）
前記第一扉及び前記第二扉は、前記筐体の高さ方向に並んでいる、
付記１に記載の電子装置。
（付記１８）
前記第一扉及び前記第二扉は、前記筐体の幅方向に並んでいる、
付記１に記載の電子装置。
【符号の説明】
【００８７】
１０  電子装置
２０  筐体
２２  収容部
２４  通気口
２６  上壁部
２８  被係止部
３０  ファンユニット
３１  延出部
３２  第一押し部
３３  対向部
３４  第二押し部
３５  吸気口
３６  排気口
３８  連通路
４０  シャッタ
４１  第一扉
４２  第二扉
４３  第一回動軸
４４  第二回動軸
４５  突出部
４６  ストッパ
４７  ストッパ
４８  係止部
４９  スペーサ
５０  規制部
６０  基板
【図１】
2018148002.tif 000003
【図２】
2018148002.tif 000004
【図３】
2018148002.tif 000005
【図４】
2018148002.tif 000006
【図５】
2018148002.tif 000007
【図６】
2018148002.tif 000008
【図７】
2018148002.tif 000009
【図８】
2018148002.tif 000010
【図９】
2018148002.tif 000011
【図１０】
2018148002.tif 000012
【図１１】
2018148002.tif 000013
【図１２】
2018148002.tif 000014
【図１３】
2018148002.tif 000015
【図１４】
2018148002.tif 000016
【図１５】
2018148002.tif 000017
【図１６】
2018148002.tif 000018